(57)【要約】【課題】吊り金具の組み付け作業が容易であり、側板同士の仮止めが容易な、天井埋込型空気調和装置を提供する。【解決手段】筐体の側板に吊り金具４１を備え、この吊り金具に梁から吊り下げられた吊りボルトを通して、当該筐体を梁に吊り下げ支持してなる天井埋込型空気調和装置において、吊り金具４１が、筐体の内側に延在する第１の部分４２と、この第１の部分が筐体に形成された開口を通じて挿入され、筐体の側板の内面に第１の部分の対向面が当接する位置まで回転されたとき、筐体の側板の下端縁に係止される第２の部分４３と、第１の部分が筐体に形成された開口を通じて挿入され、筐体の側板の内面に第１の部分の対向面が当接する位置まで回転されたとき、筐体の外側に天板３１とほぼ平行に延出し、吊りボルトを通す第３の部分４５とを備えて構成されている。【選択図】　　　図６
2004092999.tif 000002
【特許請求の範囲】
【請求項１】
送風機、熱交換器、並びにドレンパン等を収容した筐体の側板に吊り金具を備え、この吊り金具に梁から吊り下げられた吊りボルトを通して、当該筐体を梁に吊り下げ支持してなる天井埋込型空気調和装置において、
前記吊り金具が、筐体の内側に延在する第１の部分と、この第１の部分が筐体に形成された開口を通じて挿入され、筐体の側板の内面に第１の部分の対向面が当接する位置まで回転されたとき、筐体の側板の下端縁に係止される第２の部分と、第１の部分が筐体に形成された開口を通じて挿入され、筐体の側板の内面に第１の部分の対向面が当接する位置まで回転されたとき、筐体の外側に天板とほぼ平行に延出し、吊りボルトを通す第３の部分とを備えて構成されていることを特徴とする天井埋込型空気調和装置。
【請求項２】
筐体の側板の内面と、第１の部分の対向面との間に当該第１の部分の揺動を防止する防止手段を備えたことを特徴とする請求項１記載の天井埋込型空気調和装置。
【請求項３】
第１の部分の揺動を防止する防止手段が、筐体の側板の内面に形成された内側に凹む凹み部と、第１の部分の対向面に形成された、前記凹み部に係合する凸部とを備えて構成されていることを特徴とする請求項２記載の天井埋込型空気調和装置。
【請求項４】
送風機、熱交換器、並びにドレンパン等を筐体内に備えた天井埋込型空気調和装置において、
筐体が板金製の天板と２分割された板金製の側板とで構成され、２分割された側板同士が周方向に延びる仮止め爪で環状に仮止め可能に構成されていることを特徴とする天井埋込型空気調和装置。
【発明の詳細な説明】
【０００１】
【発明の属する技術分野】
本発明は、吊りボルトによって天井の梁に吊り下げられる筐体を備えた天井埋込型空気調和装置の構造に関する。
【０００２】
【従来の技術】
一般に、送風機、熱交換器、並びにドレンパン等を収容した筐体の側板に吊り金具を備え、この吊り金具に梁から吊り下げられた吊りボルトを通して、当該筐体を梁に吊り下げ支持してなる天井埋込型空気調和装置が知られている。
【０００３】
この種のものでは、吊り金具が、万が一でも脱落しないように、筐体に対して吊り金具が複数本のボルトを用いて止められている。
【０００４】
一方、この種のものでは、筐体が、いわゆる断熱鋼板製の天板と、２分割された同じく断熱鋼板製の側板とで構成されたものが提案されている。この筐体を組み立てる場合、２分割された側板を環状に仮止めしておいて、この側板間、並びに側板と天板間をねじ打ち固定するのが一般的である。
【０００５】
従来の仮止め手段は、縦方向に延びる仮止め爪を備え、側板同士を縦方向にスライドさせて側板を環状に仮止めしている。
【０００６】
【発明が解決しようとする課題】
しかし、従来の構成では、吊り金具が複数本のボルトを用いて止められているため、吊り金具の組み付け作業が困難であると共に、ボルトを使用した場合、ボルトがゆるむ恐れがある、等の問題がある。また、縦方向に延びる仮止め爪を用いて、側板同士を縦方向にスライドさせて環状に仮止めする場合、側板同士の仮止めは容易であるが、仮止めの段階で、環状の側板の内径が決まるため、その内周に底板の周縁部を嵌合する場合、大きな隙間があいたり、きつすぎて嵌合が困難になったり、等の問題がある。
【０００７】
そこで、本発明の目的は、上述した従来の技術が有する課題を解消し、吊り金具の組み付け作業が容易であり、側板同士の仮止めが容易な、天井埋込型空気調和装置を提供することにある。
【０００８】
【課題を解決するための手段】
請求項１記載の発明は、筐体の側板に吊り金具を備え、この吊り金具に梁から吊り下げられた吊りボルトを通して、当該筐体を梁に吊り下げ支持してなる天井埋込型空気調和装置において、前記吊り金具が、筐体の内側に延在する第１の部分と、この第１の部分が筐体に形成された開口を通じて挿入され、筐体の側板の内面に第１の部分の対向面が当接する位置まで回転されたとき、筐体の側板の下端縁に係止される第２の部分と、第１の部分が筐体に形成された開口を通じて挿入され、筐体の側板の内面に第１の部分の対向面が当接する位置まで回転されたとき、筐体の外側に天板とほぼ平行に延出し、吊りボルトを通す第３の部分とを備えて構成されていることを特徴とする。
【０００９】
請求項２記載の発明は、請求項１記載のものにおいて、筐体の側板の内面と、第１の部分の対向面との間に当該第１の部分の揺動を防止する防止手段を備えたことを特徴とする。
【００１０】
請求項３記載の発明は、請求項２記載のものにおいて、第１の部分の揺動を防止する防止手段が、筐体の側板の内面に形成された内側に凹む凹み部と、第１の部分の対向面に形成された、前記凹み部に係合する凸部とを備えて構成されていることを特徴とする。
【００１１】
請求項４記載の発明は、送風機、熱交換器、並びにドレンパン等を筐体内に備えた天井埋込型空気調和装置において、筐体が板金製の天板と２分割された板金製の側板とで構成され、２分割された側板同士が周方向に延びる仮止め爪で環状に仮止め可能に構成されていることを特徴とする。
【００１２】
【発明の実施の形態】
以下、本発明の一実施の形態を、添付図面を参照して説明する。
【００１３】
図１に示すように、この天井埋込型空気調和装置は、板金製の箱形の空気調和機本体（筐体）１を有し、吊りボルト２で天井からつり下げられている。この空気調和機本体１は下方が開口し、天井に埋め込まれた場合、この開口側が被調和室に対向する。この空気調和機本体１の内側には、モータ５が固定され、このモータ５のシャフトには羽根車７が取り付けられている。これらが送風機９を構成している。この送風機９を取り囲むように、多角形状に曲げられた熱交換器１１が配置され、この熱交換器１１の下側にはドレンパン１３が配置され、このドレンパン１３にはベルマウス１４が取り付けられている。
【００１４】
そして、空気調和機本体１の下面には、化粧パネル２１が取り付けられ、この化粧パネル２１には、吸込口２２と吹出口２３とが形成され、吸込口２２の内側にはフィルタ２５が装着されている。
【００１５】
図２は、筐体１の組み付け斜視図である。この筐体１は、板金製の天板３１と、２分割された板金製の側板３２，３３とで構成されている。側板３２，３３同士は、２箇所の連結部Ａ，Ｂで環状に連結されている。一方の側板３２は、連結部Ａを構成する連結片３２Ａと、連結部Ｂを構成する連結片３２Ｂとを備え、他方の側板３３は、連結部Ａを構成する連結片３３Ａと、連結部Ｂを構成する連結片３３Ｂとを備えて構成されている。
【００１６】
図３は、筐体１の外観図、図４は、図３のＩＶ−ＩＶ断面図、図５は、図３の矢視Ｖの拡大図である。
【００１７】
図３及び図５に示すように、連結部Ａでは、縦方向の中程に周方向に延びる仮止め爪３５を備える。この仮止め爪３５は、一方の側板３２の連結片３２Ａに一体に形成され、図４に示すように、筐体１の内側にほぼＵ字状に延び、他方の側板３３の連結片３３Ａに形成された受け孔３７に係合される。これによれば、図４を参照し、一方の側板３２を矢印Ｘ方向に動かして、仮止め爪３５を受け孔３７に係合し、その後、一方の側板３２を矢印Ｙ方向に引き戻すように動かすことにより仮止めが完了する。
【００１８】
仮止め爪３５は、先細り状の形状を持ち、それを受ける受け孔３７は、仮止め爪３５と受け孔３７との係合が進むにつれて、その係合がきつくなるように、先細り状の台形状を持つ。
【００１９】
以上は、連結部Ａを示したが、ほかの連結部Ｂの構成も、図示は省略したが、連結部Ａの構成と同じである。
【００２０】
上記構成では、板金製の天板３１の周囲に、図２に示すように、所定高さの立ち下がり片３１Ａが一体に形成される。側板３２，３３は、側板３２，３３の上縁が、立ち下がり片３１Ａの外面に当接するように配置され、これら側板３２，３３同士は、上記手順に従い、２箇所の連結部Ａ，Ｂで環状に仮止めされる。この場合、仮止めは、周方向に延びる仮止め爪３５を用いて行われるため、仮止め爪３５を受け孔３７にきつく係合するにつれて、当該側板３２，３３の上縁が、立ち下がり片３１Ａの外面につよく当接する。仮止め完了時に、側板３２，３３と天板３１との間に隙間は生じない。
【００２１】
仮止め完了後、側板３２，３３同士、及び側板３２，３３と立ち下がり片３１Ａとの間が、ねじ打ちにより本固定される。
【００２２】
本実施形態では、仮止め完了時に、側板３２，３３と天板３１との間に隙間が生じないため、仮止め完了後、側板３２，３３同士、及び側板３２，３３と立ち下がり片３１Ａとの間を、ねじ打ちにより本固定する場合、精度よく、しっかりと本固定することができる。
【００２３】
つぎに、吊り金具について説明する。
【００２４】
上記の筐体１の４隅には、図２に示すように、それぞれ吊り金具４１が固定され、この吊り金具４１に吊りボルト２が通されて、この吊りボルト２により筐体１が天井からつり下げられている。この吊り金具４１は、図６に示すように、筐体１の内側に延在する第１の部分４２と、この第１の部分４２が筐体１に形成された開口（図示せず）を通じて矢印Ｐ方向に挿入され、筐体１の側板３２，３３の内面に第１の部分４２の対向面４２Ａが当接する位置まで矢印Ｒ方向に回転されたとき、筐体１の側板３２，３３の下端縁に係止される第２の部分４３と、同じく第１の部分４２が筐体１に形成された開口（図示せず）を通じて矢印Ｐ方向に挿入され、筐体１の側板３２，３３の内面に第１の部分４２の対向面４２Ａが当接する位置まで矢印Ｒ方向に回転されたとき、筐体１の外側に天板３１とほぼ平行に延出し、吊りボルト２を通す溝４４（図４）を備えた第３の部分４５とを備えて構成されている。
【００２５】
筐体１に形成される開口（図示せず）は、少なくとも第２の部分４３の高さＨを受け入れる大きさを持ち、かつ、吊り金具４１を矢印Ｒ方向に回転させることができる大きさを持つ。
【００２６】
吊り金具４１が、矢印Ｐ方向に挿入された後、筐体１の側板３２，３３の内面に第１の部分４２の対向面４２Ａが当接する位置まで矢印Ｒ方向に回転された場合、このままでは、上記開口（図示せず）の大きさに起因して、吊り金具４１が揺動し、吊り金具４１と側板３２，３３とを、１本のねじ４７によって固定する作業が困難になる。
【００２７】
本実施形態では、側板３２，３３の内面と、第１の部分４２の対向面４２Ａとの間に、図４に示すように、第１の部分４２の揺動を防止する防止手段５０が設けられる。この防止手段５０は、側板３２，３３の内面に形成された、筐体１の内側に凹む凹み部５１と、第１の部分４２の対向面４２Ａに形成された、凹み部５１に係合する凸部５２とを備えて構成される。凹み部５１に凸部５２を係合させることにより、吊り金具４１の揺動が防止されるため、１本のねじ４７による固定作業が極めて容易になる。
【００２８】
吊り金具４１を筐体１に取り付けた場合、筐体１に形成される開口（図示せず）の上縁に第３の部分４５が当接し、筐体１の側板３２，３３の下端縁に第２の部分４３が係止される。これによれば、本吊り金具４１は、それ自体で筐体１の重量を受けるように構成される。従って、ねじ４７は、専ら吊り金具４１と側板３２，３３とを連結するために機能し、このねじ４７によって、筐体１の重量を受けることはない。仮に、このねじ４７がゆるんでも、筐体１からの吊り金具４１の離脱が発生することはない。
【００２９】
以上、一実施形態に基づいて本発明を説明したが、本発明は、これに限定されるものでないことは明らかである。
【００３０】
【発明の効果】
本発明では、吊り金具の組み付け作業が容易になり、或いは、側板同士の仮止め作業が容易になる。
【図面の簡単な説明】
【図１】本発明による天井埋込型空気調和装置の一実施形態を示す断面図である。
【図２】筐体の斜視図である。
【図３】筐体の外観図である。
【図４】図３のＩＶ−ＩＶ断面図である。
【図５】図３の矢視Ｖの拡大図である。
【図６】吊り金具の筐体への組み付け作業手順を示す図である。
【符号の説明】
１　空気調和機本体（筐体）
３１　天板
３２，３３　側板
３５　仮止め爪
３７　受け孔
４１　吊り金具
４２　第１の部分
４３　第２の部分
４５　第３の部分
４７　ねじ
５０　防止手段
【図１】
2004092999.tif 000003
【図２】
2004092999.tif 000004
【図３】
2004092999.tif 000005
【図４】
2004092999.tif 000006
【図５】
2004092999.tif 000007
【図６】
2004092999.tif 000008